【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
基地局からメッセージを受信することと、ここにおいて、前記メッセージは、ダウンリンク伝送のための第１の専用リソースを示し、スケジュールされたダウンリンク伝送は、前記基地局から前記第１の専用リソースにて送信されるようにスケジュールされている、
前記メッセージに示されるダウンリンク伝送のための前記第１の専用リソースに基づいて、アップリンク伝送のための第２の専用リソースを決定することと、ここにおいて、アップリンク伝送のための前記第２の専用リソースは、前記スケジュールされたダウンリンク伝送に関連づけられる、
前記スケジュールされたダウンリンク伝送を送信するために前記基地局によって使用されるべき情報メッセージを前記第２の専用リソースにおいて送信するか否かを決定することと、
を備える方法。
【請求項２】
前記情報メッセージを送信するか否かを決定することは、
前記基地局が前記メッセージに関連する前記スケジュールされたダウンリンク伝送を送信する前に前記ＵＥと前記基地局との間のチャネル状態を測定することであって、前記測定は、ダウンリンク伝送のための前記第１の専用リソースを示す前記メッセージの前記受信に基づいてトリガされる、測定することと、
前記基地局によって使用される現在の変調および符号化方式（ＭＣＳ）をデコード可能であると前記ＵＥが予想し、
前記基地局によって使用される送信電力が閾値を超えて減少させられる場合に前記基地局によって使用される前記現在のＭＣＳをデコード可能であると前記ＵＥが予想せず、
より大きなＭＣＳをデコードすると前記ＵＥが予想しない場合、
前記基地局への前記情報メッセージの送信を控えることと、
を備える、請求項１に記載の方法。
【請求項３】
前記基地局が前記スケジュールされたダウンリンク伝送を送信する前に前記第２の専用リソースにて前記基地局へと前記情報メッセージを送信すること、
をさらに備える、請求項１に記載の方法。
【請求項４】
前記情報メッセージは、送信電力または送信電力補正係数を含み、前記送信電力または前記送信電力補正係数は、前記ＵＥと前記基地局との間のチャネル状態に基づく、請求項３に記載の方法。
【請求項５】
前記情報メッセージは、変調および符号化方式（ＭＣＳ）インデックスまたはＭＣＳインデックス補正係数を含み、前記ＭＣＳインデックスまたは前記ＭＣＳインデックス補正係数は、前記ＵＥと前記基地局との間のチャネル状態に基づく、請求項３に記載の方法。
【請求項６】
前記情報メッセージは、チャネル品質インデックス（ＣＱＩ）または既知のＣＱＩに関するＣＱＩ補正係数を含むチャネル測定報告を含み、前記ＣＱＩまたは前記ＣＱＩ補正係数は、前記ＵＥと前記基地局との間のチャネル状態に基づく、請求項３に記載の方法。
【請求項７】
前記情報メッセージは、基準信号を含む、請求項３に記載の方法。
【請求項８】
前記基地局から前記スケジュールされたダウンリンク伝送を受信すること、をさらに備え、ここにおいて、前記スケジュールされたダウンリンク伝送は、前記第２の専用リソースを使用して前記基地局へと送信された前記情報メッセージに基づいて受信され、あるいは以前に送信された情報メッセージに基づいて受信される、請求項３に記載の方法。
【請求項９】
前記情報メッセージは、非周期的に送信される、請求項３に記載の方法。
【請求項１０】
ワイヤレス通信のための装置であって、前記装置はユーザ機器（ＵＥ）であり、
メモリと、
前記メモリに結合された少なくとも１つのプロセッサであって、
基地局からメッセージを受信することと、ここにおいて、前記メッセージは、ダウンリンク伝送のための第１の専用リソースを示し、スケジュールされたダウンリンク伝送は、前記基地局から前記第１の専用リソースにて送信されるようにスケジュールされている、
前記メッセージに示されるダウンリンク伝送のための前記第１の専用リソースに基づいて、アップリンク伝送のための第２の専用リソースを決定することと、ここにおいて、アップリンク伝送のための前記第２の専用リソースは、前記スケジュールされたダウンリンク伝送に関連づけられる、
前記スケジュールされたダウンリンク伝送を送信するために前記基地局によって使用されるべき情報メッセージを前記第２の専用リソースにおいて送信するか否かを決定することと、
を行うように構成された少なくとも１つのプロセッサと、
を備える装置。
【請求項１１】
前記少なくとも１つのプロセッサは、前記情報メッセージを送信するか否かを、
前記基地局が前記メッセージに関連する前記スケジュールされたダウンリンク伝送を送信する前に前記ＵＥと前記基地局との間のチャネル状態を測定することであって、前記測定は、ダウンリンク伝送のための前記第１の専用リソースを示す前記メッセージの前記受信に基づいてトリガされる、測定することと、
前記基地局によって使用される現在の変調および符号化方式（ＭＣＳ）をデコード可能であると前記ＵＥが予想し、
前記基地局によって使用される送信電力が閾値を超えて減少させられる場合に前記基地局によって使用される前記現在のＭＣＳをデコード可能であると前記ＵＥが予想せず、
より大きなＭＣＳをデコードすると前記ＵＥが予想しない場合に、
前記基地局への前記情報メッセージの送信を控えることと、
によって決定するように構成される、請求項１０に記載の装置。
【請求項１２】
前記少なくとも１つのプロセッサは、前記基地局が前記スケジュールされたダウンリンク伝送を送信する前に前記第２の専用リソースにて前記基地局へと前記情報メッセージを送信するようにさらに構成される、請求項１０に記載の装置。
【請求項１３】
前記情報メッセージは、送信電力または送信電力補正係数を含み、前記送信電力または前記送信電力補正係数は、前記ＵＥと前記基地局との間のチャネル状態に基づく、請求項１２に記載の装置。
【請求項１４】
前記情報メッセージは、変調および符号化方式（ＭＣＳ）インデックスまたはＭＣＳインデックス補正係数を含み、前記ＭＣＳインデックスまたは前記ＭＣＳインデックス補正係数は、前記ＵＥと前記基地局との間のチャネル状態に基づく、請求項１２に記載の装置。
【請求項１５】
前記情報メッセージは、チャネル品質インデックス（ＣＱＩ）または既知のＣＱＩに関するＣＱＩ補正係数を含むチャネル測定報告を含み、前記ＣＱＩまたは前記ＣＱＩ補正係数は、前記ＵＥと前記基地局との間のチャネル状態に基づく、請求項１２に記載の装置。
【請求項１６】
前記情報メッセージは、基準信号を含む、請求項１２に記載の装置。
【請求項１７】
前記少なくとも１つのプロセッサは、前記基地局から前記スケジュールされたダウンリンク伝送を受信するようにさらに構成され、ここにおいて、前記スケジュールされたダウンリンク伝送は、前記第２の専用リソースを使用して前記基地局へと送信された前記情報メッセージに基づいて受信され、あるいは以前に送信された情報メッセージに基づいて受信される、請求項１２に記載の装置。
【請求項１８】
前記情報メッセージは、非周期的に送信される、請求項１２に記載の装置。
【手続補正２】
【補正対象書類名】明細書
【補正対象項目名】００５７
【補正方法】変更
【補正の内容】
【００５７】
[0065]以上の説明は、本明細書に記載の種々の態様を当業者にとって実施可能にするために提示されている。これらの態様への種々の変更が、当業者にとって容易に明らかであると考えられ、本明細書に定められる包括的な原理は、他の態様にも適用され得る。したがって、特許請求の範囲は、本明細書に示した態様に限定されるようには意図されてはおらず、請求項の表現に矛盾しない最大限の範囲が与えられるべきであり、ここにおいて、或る構成要素への単数形での言及は、とくに指定されない限り「ただ１つ」を意味することを意図されておらず、むしろ「１つ以上」を意味することを意図している。用語「典型的」は、本明細書において、「例、事例、または例示として役立つ」を意味して用いられている。本明細書において「典型的」とされるいかなる態様も、必ずしも他の態様と比べて好ましい、または有利であると解釈されるべきではない。とくに述べられない限り、用語「いくつか」は、１つ以上を指す。「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａ、Ｂ、および／またはＣの任意の組み合わせを含み、複数のＡ、複数のＢ、または複数のＣを含み得る。具体的には、「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａだけ、Ｂだけ、Ｃだけ、ＡとＢ、ＡとＣ、ＢとＣ、またはＡとＢとＣであり得、あらゆるこのような組み合わせは、Ａ、Ｂ、またはＣの１つ以上の構成員を含み得る。本開示の各所において説明された種々の態様の構成要素について、当業者にとって公知であり、あるいは後に知られることになるすべての構造的および機能的な同等物は、ここでの言及によって本明細書に明示的に援用され、特許請求の範囲によって包含されるように意図される。さらに、本明細書に開示の何ものも、このような開示が特許請求の範囲に明示的に記載されるか否かにかかわらず、公衆に開放されるようには意図されていない。請求項のいかなる構成要素も、構成要素が「ための手段（ｍｅａｎｓ  ｆｏｒ）」という表現を使用して明示的に記載されない限り、ミーンズ・プラス・ファンクション（ｍｅａｎｓ  ｐｌｕｓ  ｆｕｎｃｔｉｏｎ）として解釈されてはならない。
以下に本願発明の当初の特許請求の範囲に記載された発明を付記する。
［Ｃ１］
ユーザ機器（ＵＥ）によるワイヤレス通信の方法であって、
基地局からメッセージを受信することと、ここにおいて、前記メッセージは、ダウンリンク伝送のための第１の専用リソースを示し、前記第１の専用リソースは、前記基地局からのスケジュールされたダウンリンク伝送に関連づけられる、
前記メッセージに示されるダウンリンク伝送のための前記第１の専用リソースに基づいて、アップリンク伝送のための第２の専用リソースを決定することと、ここにおいて、アップリンク伝送のための前記第２の専用リソースは、前記スケジュールされたダウンリンク伝送に関連づけられる、
前記スケジュールされたダウンリンク伝送を送信するために前記基地局によって使用されるべき情報メッセージを前記第２の専用リソースにおいて送信するか否かを決定することと、
を備える方法。
［Ｃ２］
前記情報メッセージを送信するか否かを決定することは、
前記基地局が前記メッセージに関連する前記スケジュールされたダウンリンク伝送を送信する前に前記ＵＥと前記基地局との間のチャネル状態を測定することであって、前記測定は、ダウンリンク伝送のための前記第１の専用リソースを示す前記メッセージの前記受信に基づいてトリガされる、測定することと、
前記基地局によって使用される現在の変調および符号化方式（ＭＣＳ）をデコード可能であると前記ＵＥが予想し、
前記基地局によって使用される送信電力が閾値を超えて減少させられる場合に前記基地局によって使用される前記現在のＭＣＳをデコード可能であると前記ＵＥが予想せず、
より大きなＭＣＳをデコードすると前記ＵＥが予想しない場合、
前記基地局への前記情報メッセージの送信を控えることと、
を備える、Ｃ１に記載の方法。
［Ｃ３］
前記基地局が前記スケジュールされたダウンリンク伝送を送信する前に前記第２の専用リソースにて前記基地局へと前記情報メッセージを送信すること、
をさらに備える、Ｃ１に記載の方法。
［Ｃ４］
前記情報メッセージは、送信電力または送信電力補正係数を含み、前記送信電力または前記送信電力補正係数は、前記ＵＥと前記基地局との間のチャネル状態に基づく、Ｃ３に記載の方法。
［Ｃ５］
前記情報メッセージは、変調および符号化方式（ＭＣＳ）インデックスまたはＭＣＳインデックス補正係数を含み、前記ＭＣＳインデックスまたは前記ＭＣＳインデックス補正係数は、前記ＵＥと前記基地局との間のチャネル状態に基づく、Ｃ３に記載の方法。
［Ｃ６］
前記情報メッセージは、チャネル品質インデックス（ＣＱＩ）または既知のＣＱＩに関するＣＱＩ補正係数を含むチャネル測定報告を含み、前記ＣＱＩまたは前記ＣＱＩ補正係数は、前記ＵＥと前記基地局との間のチャネル状態に基づく、Ｃ３に記載の方法。
［Ｃ７］
前記情報メッセージは、基準信号を含む、Ｃ３に記載の方法。
［Ｃ８］
前記基地局から前記スケジュールされたダウンリンク伝送を受信すること、をさらに備え、ここにおいて、前記スケジュールされたダウンリンク伝送は、前記第２の専用リソースを使用して前記基地局へと送信された前記情報メッセージに基づいて受信され、あるいは以前に送信された情報メッセージに基づいて受信される、Ｃ３に記載の方法。
［Ｃ９］
前記情報メッセージは、非周期的に送信される、Ｃ３に記載の方法。
［Ｃ１０］
ワイヤレス通信のための装置であって、前記装置はユーザ機器（ＵＥ）であり、
メモリと、
前記メモリに結合された少なくとも１つのプロセッサであって、
基地局からメッセージを受信することと、ここにおいて、前記メッセージは、ダウンリンク伝送のための第１の専用リソースを示し、前記第１の専用リソースは、前記基地局からのスケジュールされたダウンリンク伝送に関連づけられる、
前記メッセージに示されるダウンリンク伝送のための前記第１の専用リソースに基づいて、アップリンク伝送のための第２の専用リソースを決定することと、ここにおいて、アップリンク伝送のための前記第２の専用リソースは、前記スケジュールされたダウンリンク伝送に関連づけられる、
前記スケジュールされたダウンリンク伝送を送信するために前記基地局によって使用されるべき情報メッセージを前記第２の専用リソースにおいて送信するか否かを決定することと、
を行うように構成された少なくとも１つのプロセッサと、
を備える装置。
［Ｃ１１］
前記少なくとも１つのプロセッサは、前記情報メッセージを送信するか否かを、
前記基地局が前記メッセージに関連する前記スケジュールされたダウンリンク伝送を送信する前に前記ＵＥと前記基地局との間のチャネル状態を測定することであって、前記測定は、ダウンリンク伝送のための前記第１の専用リソースを示す前記メッセージの前記受信に基づいてトリガされる、測定することと、
前記基地局によって使用される現在の変調および符号化方式（ＭＣＳ）をデコード可能であると前記ＵＥが予想し、
前記基地局によって使用される送信電力が閾値を超えて減少させられる場合に前記基地局によって使用される前記現在のＭＣＳをデコード可能であると前記ＵＥが予想せず、
より大きなＭＣＳをデコードすると前記ＵＥが予想しない場合に、
前記基地局への前記情報メッセージの送信を控えることと、
によって決定するように構成されている、Ｃ１０に記載の装置。
［Ｃ１２］
前記少なくとも１つのプロセッサは、前記基地局が前記スケジュールされたダウンリンク伝送を送信する前に前記第２の専用リソースにて前記基地局へと前記情報メッセージを送信するようにさらに構成される、Ｃ１０に記載の装置。
［Ｃ１３］
前記情報メッセージは、送信電力または送信電力補正係数を含み、前記送信電力または前記送信電力補正係数は、前記ＵＥと前記基地局との間のチャネル状態に基づく、Ｃ１２に記載の装置。
［Ｃ１４］
前記情報メッセージは、変調および符号化方式（ＭＣＳ）インデックスまたはＭＣＳインデックス補正係数を含み、前記ＭＣＳインデックスまたは前記ＭＣＳインデックス補正係数は、前記ＵＥと前記基地局との間のチャネル状態に基づく、Ｃ１２に記載の装置。
［Ｃ１５］
前記情報メッセージは、チャネル品質インデックス（ＣＱＩ）または既知のＣＱＩに関するＣＱＩ補正係数を含むチャネル測定報告を含み、前記ＣＱＩまたは前記ＣＱＩ補正係数は、前記ＵＥと前記基地局との間のチャネル状態に基づく、Ｃ１２に記載の装置。
［Ｃ１６］
前記情報メッセージは、基準信号を含む、Ｃ１２に記載の装置。
［Ｃ１７］
前記少なくとも１つのプロセッサは、前記基地局から前記スケジュールされたダウンリンク伝送を受信するようにさらに構成され、ここにおいて、前記スケジュールされたダウンリンク伝送は、前記第２の専用リソースを使用して前記基地局へと送信された前記情報メッセージに基づいて受信され、あるいは以前に送信された情報メッセージに基づいて受信される、Ｃ１２に記載の装置。
［Ｃ１８］
前記情報メッセージは、非周期的に送信される、Ｃ１２に記載の装置。
［Ｃ１９］
基地局によるワイヤレス通信の方法であって、
ユーザ機器（ＵＥ）へとメッセージを送信することと、ここにおいて、前記メッセージは、ダウンリンク伝送のための第１の専用リソースを示し、前記第１の専用リソースは、前記ＵＥへのスケジュールされたダウンリンク伝送に関連づけられる、
ダウンリンク伝送のための前記第１の専用リソースに基づくアップリンク伝送のための第２の専用リソースにおいて前記ＵＥから情報メッセージを受信することと、ここにおいて、前記情報メッセージは、前記情報メッセージの受信よりも前にスケジュールされた前記スケジュールされたダウンリンク伝送の送信に使用される、
前記ＵＥからの前記情報メッセージの受信後に前記スケジュールされたダウンリンク伝送を送信することと、ここにおいて、前記送信することは、前記受信された情報メッセージに基づく、
を備える方法。
［Ｃ２０］
前記情報メッセージは、絶対値または補正係数を含み、ここにおいて、前記絶対値または前記補正係数は、チャネル品質インデックス（ＣＱＩ）、送信電力、または変調および符号化方式（ＭＣＳ）インデックスのうちの１つに関連づけられる、Ｃ１９に記載の方法。
［Ｃ２１］
前記送信することは、前記受信された情報メッセージに基づいて前記スケジュールされたダウンリンク伝送のための送信電力を調整することを備える、Ｃ１９に記載の方法。
［Ｃ２２］
前記送信することは、前記受信された情報メッセージに基づいて前記スケジュールされたダウンリンク伝送のための変調および符号化方式（ＭＣＳ）を選択することを備える、Ｃ１９に記載の方法。
［Ｃ２３］
前記情報メッセージは、前記ＵＥから非周期的に受信される、Ｃ１９に記載の方法。
［Ｃ２４］
ダウンリンク伝送のための前記第１の専用リソースを示す前記メッセージは、前記ＵＥに対するフィードバックの要求であり、ここにおいて、前記フィードバックは、前記フィードバックの要求の送信よりも前にスケジュールされた前記スケジュールされたダウンリンク伝送の送信パラメータを調整するために使用される、Ｃ１９に記載の方法。
［Ｃ２５］
ワイヤレス通信のための装置であって、
メモリと、
前記メモリに結合された少なくとも１つのプロセッサであって、
ユーザ機器（ＵＥ）へとメッセージを送信することと、ここにおいて、前記メッセージは、ダウンリンク伝送のための第１の専用リソースを示し、前記第１の専用リソースは、前記ＵＥへのスケジュールされたダウンリンク伝送に関連づけられる、
ダウンリンク伝送のための前記第１の専用リソースに基づくアップリンク伝送のための第２の専用リソースにおいて前記ＵＥから情報メッセージを受信することと、ここにおいて、前記情報メッセージは、前記情報メッセージの受信よりも前にスケジュールされた前記スケジュールされたダウンリンク伝送の送信に使用される、
前記ＵＥからの前記情報メッセージの受信後に前記スケジュールされたダウンリンク伝送を送信することと、ここにおいて、前記送信することは、前記受信された情報メッセージに基づく、
を行うように構成された少なくとも１つのプロセッサと、
を備える装置。
［Ｃ２６］
前記情報メッセージは、絶対値または補正係数を含み、ここにおいて、前記絶対値または前記補正係数は、チャネル品質インデックス（ＣＱＩ）、送信電力、または変調および符号化方式（ＭＣＳ）インデックスのうちの１つに関連づけられる、Ｃ２５に記載の装置。
［Ｃ２７］
前記少なくとも１つのプロセッサは、前記受信された情報メッセージに基づいて前記スケジュールされたダウンリンク伝送のための送信電力を調整することによって送信を行うように構成される、Ｃ２５に記載の装置。
［Ｃ２８］
前記少なくとも１つのプロセッサは、前記受信された情報メッセージに基づいて前記スケジュールされたダウンリンク伝送のための変調および符号化方式（ＭＣＳ）を選択することによって送信を行うように構成される、Ｃ２５に記載の装置。
［Ｃ２９］
前記情報メッセージは、前記ＵＥから非周期的に受信される、Ｃ２５に記載の装置。
［Ｃ３０］
ダウンリンク伝送のための前記第１の専用リソースを示す前記メッセージは、前記ＵＥに対するフィードバックの要求であり、ここにおいて、前記フィードバックは、前記フィードバックの要求の送信よりも前にスケジュールされた前記スケジュールされたダウンリンク伝送の送信パラメータを調整するために使用される、Ｃ２５に記載の装置。